(57)【要約】      （修正有）【課題】手で僅かに傾けるだけで液体あるいは液状の内容物を使用者の口に注ぎ込むことができ、乳幼児や高齢者、被介護者が使用するのに便利な液体用コップを提供する。【解決手段】液体用コップ１０は、コップ上部の開口１１の中心が底面２の中心より片側へずれており、その中心のずれ方向に対して横方向のコップ側部に把手１４が形成されている。好ましくは、コップ上部の開口１１の中心が底面の中心より片側へずれており、かつコップ底部２から上方中途位置までコップ側部がコップ底面２に垂直な円筒形の基部として形成されている。【選択図】図１
0003169669.tif 000002
【実用新案登録請求の範囲】
【請求項１】
コップ上部の開口の中心がコップ底面の中心より片側へずれていることを特徴とする液体用コップ。
【請求項２】
コップ上部の開口の中心がコップ底面の中心より片側へずれており、コップ底部から上方中途位置までコップ側部が前記底面に垂直な円筒形の基部として形成されていることを特徴とする請求項１記載の液体用コップ。
【請求項３】
コップ上部の開口の中心がコップ底面の中心より片側へずれており、前記中心のずれ方向に対して横方向のコップ側部に把手が形成されていることを特徴とする請求項１または２に記載の液体用コップ。
【請求項４】
前記コップ底面に滑り止めを設けたことを特徴とする請求項１乃至３のいずれかに記載の液体用コップ。
【請求項５】
少なくとも前記コップ側部を透明ないし半透明に形成したことを特徴とする請求項１乃至４のいずれかに記載の液体用コップ。
【請求項６】
コップ内側部および（または）コップ外側部に目盛を施したことを特徴とする請求項１乃至５のいずれかに記載の液体用コップ。
【請求項７】
前記コップ底面と前記コップ上部の開口縁が平行に形成され、かつ前記コップ底面は前記コップ上部の開口よりも小さく形成されていることを特徴とする請求項１乃至６のいずれかに記載の液体用コップ。
【請求項８】
前記把手は前記コップ側部に連接される幹部と該幹部に連接する笠部とを有するきのこ形の把手であることを特徴とする請求項１乃至７のいずれかに記載の液体用コップ。
【考案の詳細な説明】
【技術分野】
【０００１】
本考案は、液体ないし液状物を収容するコップに関し、特に、液体あるいは液状の内容物を飲用するのが容易な乳幼児用あるいは高齢者、被介護者用のコップに関する。
【背景技術】
【０００２】
コップに収容した水や牛乳などの液体あるいは液状物を飲用する場合、通常は前記コップを手で使用者の口側へ傾けつつ飲用する。この種のコップとしては、底の深いガラスコップのように底部から上部開口まで略円筒形に形成されるか、あるいは底部側より開口側の外径が大となった側面視逆円錐台形に形成され、また、コーヒーカップやティーカップなどのように片側の側部に指を掛ける把手が形成されたものもある。いずれも底部および開口部とも円形であり、かつ底部の中心と上部開口の中心が一致した形状に形成されている。また、全長および外径とも片手で持てる程度の大きさであり、特に上部開口の外径は使用者の口の大きさを考慮してどのコップも似たような外径のものが多い。コップ底部も卓上に置いたとき、容易に倒れないように安定性に配慮した外径となっている。
【特許文献１】特開2010-35972号公報
【考案の概要】
【考案が解決しようとする課題】
【０００３】
上述したようにコップに収容した飲用液を飲む場合は、前記コップの開口縁を口元に当ててコップを片手で口側へ傾動させつつ飲むこととなるが、普通は前記コップの傾動に伴なって飲用者も顔面を徐々に上向きにしていく。特に、細長い円筒形の、かつ底の深いコップの場合は、飲み終わりに近づくにつれて顔を大きく仰向きにする姿勢となり、飲むコツが未熟な乳幼児にとってはコップの底の液まで完全に飲み尽くせない場合がある。また、高齢者や要介護者の場合は頸を曲げて顔面を上向きにするのが困難な場合があり、介護にあたる者にとっても労力が大きい。
【０００４】
本考案は、このような状況に鑑み、手で僅かに傾けるだけで液体あるいは液状の内容物を使用者の口に注ぎ込むことができ、乳幼児や高齢者、被介護者が使用するのに便利な液体用コップを提供することを目的とする。
【０００５】
本考案はまた、上部開口を楕円形とし、開口の長径方向片側を注ぎ口とすることで注入目的箇所に確実かつ容易に注ぎ込むことができる液体用コップを提供することを目的とするものである。
【課題を解決するための手段】
【０００６】
本考案に係る液体用コップは、コップ上部の開口の中心がコップ底面の中心より片側へずれていることを特徴とする。
【０００７】
また本考案の他の形態に係る液体用コップは、コップ上部の開口の中心がコップ底面の中心より片側へずれており、コップ底部から上方中途位置までコップ側部が前記底面に垂直な円筒形の基部として形成されていることを特徴とする。
【０００８】
本考案の１つの形態によれば、前記底部近くの前記コップ側部を前記底面に垂直な円筒形に形成した液体用コップにおいて、前記中心のずれ方向に対して横方向のコップ側部に把手が形成されている。
【０００９】
本考案のさらに別の形態では、前記コップ底面に滑り止めが設けられている。
【００１０】
また本考案のさらに別の形態では、少なくとも前記コップ側部が透明ないし半透明に形成されている。
【００１１】
また本考案のさらに別の形態では、コップ内側部および（または）コップ外側部に目盛が施されている。
【００１２】
また本考案のさらに別の形態では、前記コップ底面と前記コップ上部の開口縁が平行に形成され、かつ前記コップ底面は前記コップ上部の開口よりも小さく形成されている。
【００１３】
また本考案のさらに別の形態では、前記把手は前記コップ側部に連接される幹部と該幹部に連接する笠部とを有するきのこ形に形成されている。
【考案の効果】
【００１４】
本考案によれば、上部開口側の側部が片側に傾斜した形態となっているので、コップの僅かな傾動で収容液を使用者の口に注ぎ込むことができ、顔面を大きく仰ぎ姿勢にする必要がなく、したがって乳幼児や高齢者、被介護者が使用するのにきわめて有用となる。また、上部の開口が楕円形となっているので、円形の開口のものと比べて注入目的箇所に正確に、かつ容易に注ぎ込むことができる。
【図面の簡単な説明】
【００１５】
【図１】本考案の実施例に係る液体用コップの側面図である。
【図２】図１に示す液体用コップの平面図である。
【図３】図１の矢視Ｆからみた背面図である。
【図４】本考案の実施例に係る液体用コップを用いて飲用液を飲むときの状態を示した側面図である。
【図５】従来のコップに収容された飲用液を飲むときの状態を示した側面図である。
【図６】本考案の他の実施例に係る液体用コップに設けられた把手部分を示す部分的な背面図である。
【図７】本考案のさらに他の実施例に係る液体用コップの側部断面図（ａ）および同図（ａ）のＢ−Ｂ線断面図（ｂ）である。
【図８】本考案のさらに他の実施例に係る液体用コップの底部の部分的な側面図（ａ）および底面図（ｂ）である。
【考案を実施するための形態】
【００１６】
次に、本考案を、各種の実施例について、図面を参照して説明する。
（実施例１）
図１〜図３を参照すれば、実施例１に係る液体用コップ１０は円形の底面２から垂直に立ち上がる略円周形の底側部３を有し、この底側部３に連接して中心線５が底面２に対し角度θで片側（正面側）に傾斜して延び上がる円筒部６が形成されている。図１に明示されるように、円筒部６は底面２の外径より若干大径となっており、コップ正面側の下部前端７はコップ底面２に連接しているが、底面２につながる背面側の下部後端８は底面に対して略垂直に立ち上がって下部の背面部（底側部３）を形成している。底側部３が底面２に対して垂直になっているので、上部側より底部側の横面積が小さく、その分だけ収容液の液面を高くすることができる。
【００１７】
正面側へ傾斜した円筒部６の上部開口縁９は底面２と平行になるように形成され、したがってコップ１０の上部開口１１は、背面側から正面側へ向けて長径１２（図２）をもつ楕円形開口１１となっている。開口１１の短径１３方向に沿った円筒部６の両側部、すなわち、中心のずれ方向に対して横方向の両側部にはＬ形に曲折した把手１４が形成されている。また、正面側へ傾斜した円筒部６の傾斜角度θおよびコップ１０の高さＨは、コップ底面２の外径Ｓに対してコップ全体が正面側へ転倒しない範囲で、かつ片手で持ち得る大きさに定められる。図１〜図３の実施例１ではこの傾斜角度θは略６０°となっている。
【００１８】
このような形態の液体用コップ１０に飲用液１８、例えば水や牛乳を入れて飲む場合は、正面側の上端を飲用者の口元に当てながら若干コップ全体を飲用者側へ傾動させて飲用する。図４はこのときの状態を示している。前述の如く、コップ円筒部６は正面側へ傾斜しているので、コップ１０を傾けていないときの状態Ａ（図４の仮想線）から高々角度β程度の僅かな傾動操作でもコップ１０内の飲用液１８を飲むことができる。飲用者１６の顔面は仰向きに大きく傾ける必要はなく、ごく自然な顔面姿勢を保ちつつ飲用が可能である。
これに対して従来のコップでは、図５に示すように、コップ１７を顔面側へ大きく傾ける必要があり、これに応じて飲用者１６の顔面も仰向きに大きく傾けなければならず、コップ内の飲用液１８が少なくなるにつれてコップ１７の傾動角度および顔面の仰向き動作も大きく傾けなければならず、乳幼児や被介護者では円滑な動作がとれない。また、本考案のコップ１０では、コップ１０の開口１１が楕円形でその長径方向先端から飲用するので、確実かつ容易に口腔内へ飲用液１８を注ぎ込めるが、従来のコップ１７の場合はコップ上部の開口は円形であるため、乳幼児や高齢者、要介護者では口元の両端からコップ内の飲用液がこぼれ落ちたりすることがあり、介護者にとってもこの点に注意しなければならなくなる。
【００１９】
（実施例２）
図６は本考案の液体用コップ２０の側部に設けられる把手の他の例を示したものである。コップ２０の円筒部６の両側部に把手１４が設けられることは図１〜図３の場合と同様であるが、この実施例２では短軸状の幹部１９が円筒部６の側部に固着され、この幹部１９の先端に笠状のつまみ部２１が形成された「きのこ」形の把手１４となっている。短軸状の幹部１９を或る程度太くし、かつ笠状のつまみ部２１を幼児でも把持できる外径とすることで、扱いやすい把手１４となり、またコップの洗浄時や扱い時に折損させたりするおそれがない。
【００２０】
（実施例３）
図７は本考案の実施例３に係る液体用コップ３０の縦断面図であり、図７（ｂ）は図７（ａ）のＢ−Ｂ線断面図である。この実施例は図１〜図３の実施例１に対してコップ３０の下部（底部）が異なっており、上部の片側へ傾斜した円筒部６は同じである。円筒部６の開口縁９も底面２と平行に形成されている。上部の円筒部６に続いてその下側にコップ３０の載置面２２に対して垂直な軸線をもつ短柱状の基部２３が形成されている。基部２３の外周は円筒形であるが、内周は円形の内底面２９から片側、具体的には上部円筒部６の傾斜側へ向って傾斜面２４が形成され、この傾斜面２４と基部外周とで囲まれた部分が肉厚になっている。コップ３０の正面側に対峙するコップ内周壁（傾斜面２４）はコップ内底面２９から上部の開口１１にかけて傾斜した形態となっている。
【００２１】
実施例３では、この肉厚の基部傾斜面２４のために全体の重心が下側に移り、上側の円筒部６の傾斜度が大きくても、全体として倒れにくくなる。また、重心が下方にくるため、その分円筒部６の長さを長くすることができる。さらに上側の円筒部６の容積に比べて基部２３の容積が小さいため、コップ全体の容積が実施例１のコップ１０と同じであるとした場合、その分だけ収容した飲用液１８の液面１８ａを高くすることができ、使用に際して僅かな傾動で液体の飲用が可能となる。なお、図７（ａ）で中心線２５は基部外周の中心線、２７は上部の円筒部６の中心線である。符号２６で示す部分は基部内側のコーナ部分を排除するために部分的に肉盛りした部分である。この構成により、コップ底部に液溜り部分ができず、使用時にコップを傾けたとき、該コップの傾動が僅かでも、コップの底に残留液を残さずに完全に注ぎ出すことができる。また、実施例３の場合も円筒部に把手を設けてもよいが、コップ下側の基部２３が円筒部６に比べて外径が小さく、かつ載置面２２に対して直立した形態となっているので、この基部２３の部分を手で持つことができ、必ずしも把手はなくてもよい。
【００２２】
（実施例４）
図８（ａ），（ｂ）は本考案の実施例４に係る液体用コップ４０を示したものであり、コップの外底面に滑り止めを設けた例である。この液体用コップ４０は通常プラスチック材あるいはガラス材の成形加工で製作されるが、コップ４０が卓上で滑り動かないようにゴム製、シリコン樹脂製、あるいは粗面をもつ樹脂製、布製などの滑り止め２８を外底面に貼り付けることで、コップ４０の表面がつるつるした光沢のある形態に製作されても卓上を滑り動くことが防止される。また、このような滑り止めを貼着するのみならず、コップの外底面に粗面加工等の滑り止め加工を直接施してもよい。
【００２３】
（実施例５）
実施例５としての本考案の液体用コップは全体が透明あるいは半透明に形成される。場合によっては、例えば淡い有色透明あるいは有色半透明のコップとしてもよい。
【００２４】
（実施例６）
実施例６としての本考案の液体用コップは、コップの側部に、収容した液体の液面を表示できる目盛が施される。不透明の液体用コップの場合はコップの内側面に目盛が付されるが、実施例５のように透明な液体用コップとした場合はコップ外側面に目盛を刻印することで、液面が判定できる。目盛の形態として種々の表示が採用され得るが、一例を挙げると、図６のようにコップ２０の背面側に設ける場合は、例えば横線状の目盛５１が付される。また、図８（ａ）に示すようにコップ４０の側部（液の注出方向に対して横方向側部）に設ける場合は、例えば点状の目盛５２が上下に所定間隔で設けられる。使用者あるいは収容液の種類によっては、１回の飲用する量を管理する必要が生じるが、コップにこのような目盛を付すことにより、飲用量の目安や管理が容易となる。また、本考案のコップを飲用として用いる以外に、例えば理科実験用等の注水、注液器具として用いる場合にも、目盛を付すことにより注液量を正確に確認することができる。
【符号の説明】
【００２５】
１０，２０，３０，４０  液体用コップ
２  底面
３  底側部
６  円筒部
９  上部開口縁
１１  上部開口
１４  把手
１８  飲用液
１８ａ  液面
２３  基部
２４  傾斜面
２６  肉盛り部
２８  滑り止め
【図１】
0003169669.tif 000003
【図２】
0003169669.tif 000004
【図３】
0003169669.tif 000005
【図４】
0003169669.tif 000006
【図５】
0003169669.tif 000007
【図６】
0003169669.tif 000008
【図７】
0003169669.tif 000009
【図８】
0003169669.tif 000010